(57)【要約】【課題】一人作業によって設置することができ、しかも、外観が美麗な状態に設置できる熱電併給システムを提供する。【解決手段】発電部と、当該発電部の排熱を回収した湯水を貯留する貯湯タンクとを備え、発電部を収納する複数の収納部Ｕの夫々が、直方体状に形成され、且つ、当該複数の収納部Ｕが直方体を形成する形態に並置自在に構成され、発電部が、複数に分割された状態で複数の収納部Ｕに分散収納されている。【選択図】図２
2020107557.tif 000002
【特許請求の範囲】
【請求項１】
発電部と、当該発電部の排熱を回収した湯水を貯留する貯湯タンクとを備える熱電併給システムであって、
前記発電部を収納する複数の収納部の夫々が、直方体状に形成され、且つ、当該複数の収納部が直方体を形成する形態に並置自在に構成され、
前記発電部が、複数に分割された状態で前記複数の収納部に分散収納されている熱電併給システム。
【請求項２】
前記発電部が、発電本体部分とそれ以外の複数の機器類部とに分割され、
前記発電本体部分及び前記複数の機器類部の夫々が、前記複数の収納部に分散した状態で収納されている請求項１に記載の熱電併給システム。
【請求項３】
前記複数の収納部が、横長状の直方体を形成する形態に並置自在に構成されている請求項１又は２に記載の熱電併給システム。
【請求項４】
前記複数の収納部が、少なくとも一部を段積した段積状態で横長状の直方体を形成する形態に並置自在に構成されている請求項３に記載の熱電併給システム。
【請求項５】
前記複数の収納部が、段積状態で縦長状の直方体を形成する形態に並置自在に構成されている請求項１〜４のいずれか１項に記載の熱電併給システム。
【請求項６】
前記複数の収納部の夫々が、骨組材を枠組みした直方体状に形成した枠体であり、
前記複数の収納部が直方体を形成する形態に並置された状態において、当該複数の収納部を一連に覆うカバー体が設けられている請求項１〜５のいずれか１項に記載の熱電併給システム。
【請求項７】
前記貯湯タンクを収納する貯湯タンク収納部が、前記複数の収納部を並置して形成された直方体の横脇に、直方体を形成する形態で並置自在に構成されている請求項１〜６のいずれか１項に記載の熱電併給システム。
【請求項８】
前記複数の収納部の夫々及び前記貯湯タンク収納部が、骨組材を枠組みした直方体状に形成した枠体であり、
前記複数の収納部及び前記貯湯タンク収納部が直方体を形成する形態に並置された状態において、前記複数の収納部及び前記貯湯タンク収納部を一連に覆うカバー体が設けられている請求項７に記載の熱電併給システム。
【発明の詳細な説明】
【技術分野】
【０００１】
本発明は、発電部と、当該発電部の排熱を回収した湯水を貯留する貯湯タンクとを備える熱電併給システムに関する。
【背景技術】
【０００２】
かかる熱電併給システムは、一般家庭等に設置して使用されるものであり、発電機を駆動するガスエンジンや燃料電池等の発電本体部分を発電部に備えて、当該発電部からの電力を、一般家庭等において消費する電力として供給し、且つ、発電部の排熱を回収した湯水を貯湯タンクに貯湯することにより、貯湯した湯水を湯張等の給湯に使用できるようにしたものである。
【０００３】
このような熱電併給システムの従来例として、本体パッケージに発電部を収納し、貯湯タンクパッケージに貯湯タンクを収納したものがある（例えば、特許文献１参照。）。
【０００４】
特許文献１は、発電本体部分として燃料電池を備えるものであり、本体パッケージの内部には、燃料電池の他に、燃料ガスを水蒸気改質処理により改質する改質器、燃料電池からの排ガスを貯湯タンクからの冷水にて冷却することにより、排ガス中の水分を凝縮させる凝縮器、当該凝縮器を通過した冷水と燃料電池の冷却水とを熱交換する排熱回収熱交換器、凝縮器にて凝縮された凝縮水を貯留するタンク、タンクに貯留された水を水蒸気改質処理のために改質器に供給するポンプ、燃料電池からの直流電力を交流電力に変換して商用電力系統の配線に供給する電力変換回路（インバータ）、貯湯タンクからの冷水を凝縮器及び排熱回収熱交換器を通して循環させる循環ポンプ、貯湯タンクからの冷水を凝縮器に供給される前に冷却する冷却用ラジエータ、及び、発電部の運転を制御する制御装置等、多数の機器類が収納されている。
【先行技術文献】
【特許文献】
【０００５】
【特許文献１】特開２００４−１１１２０８号公報
【発明の概要】
【発明が解決しようとする課題】
【０００６】
従来の熱電併給システムにおいては、発電本体部分及び多数の機器類が本体パッケージの内部に収納されるものであるから、本体パッケージが大型化し、しかも、本体パッケージの重量がかなり重くなるものであるため、熱電併給システムを一般家庭等に設置する際に、一人作業によって、本体パッケージを設置することができない不便があり、改善が望まれている。
【０００７】
本発明は、上記実状に鑑みて為されたものであって、その目的は、一人作業によって設置することができ、しかも、外観が美麗な状態に設置できる熱電併給システムを提供する点にある。
【課題を解決するための手段】
【０００８】
本発明の熱電併給システムは、発電部と、当該発電部の排熱を回収した湯水を貯留する貯湯タンクとを備えるものであって、その特徴構成は、
前記発電部を収納する複数の収納部の夫々が、直方体状に形成され、且つ、当該複数の収納部が直方体を形成する形態に並置自在に構成され、
前記発電部が、複数に分割された状態で前記複数の収納部に分散収納されている点にある。
【０００９】
すなわち、発電部が複数に分割された状態で複数の収納部に分散収納されているから、複数の収納部の夫々には、発電部を複数に分割した部分を収納すればよいため、複数の収納部の夫々を、小型化及び軽量化することができる。
したがって、熱電併給システムを一般家庭等に設置する際に、複数の収納部を各別に運びながら設置することができるため、一人作業によって、設置することが可能となる。
【００１０】
しかも、複数の収納部の夫々が、直方体状に構成され、且つ、当該複数の収納部が直方体を形成する形態に並置自在に構成されているから、発電部を分散して収納する複数の収納部を、直方体を形成する形態に設置することにより、外観が美麗な状態で複数の収納部を設置することができる。
【００１１】
つまり、例えば、複数の収納部を横並び状態に設置したときに、複数の収納部の高さや奥行が変動していると、一体感がなく、雑然とした感じを受けるものとなるが、複数の収納部を、直方体を形成する形態に設置できるため、複数の収納部の高さや奥行が揃うことにより、外観が美麗な状態で複数の収納部を設置することができる。
【００１２】
要するに、本発明の熱電併給システムの特徴構成によれば、一人作業によって設置することができ、しかも、外観が美麗な状態に設置できる。
【００１３】
本発明の熱電併給システムの更なる特徴構成は、前記発電部が、発電本体部分とそれ以外の複数の機器類部とに分割され、
前記発電本体部分及び前記複数の機器類部の夫々が、前記複数の収納部に分散した状態で収納されている点にある。
【００１４】
すなわち、発電部が、発電本体部分とそれ以外の複数の機器類部とに分割されて、発電本体部分及び複数の機器類部の夫々が、複数の収納部に分散した状態で収納されているから、発電部が３つ以上の多数に分割されて、３つ以上の多数の収納部に分散して収納されることになるため、各収納部の小型化及び軽量化を一層進めて、熱電併給システムを一般家庭等に設置する際に、複数の収納部を各別に運びながら設置することを、一人作業によっても、一層良好に行うことができる。
【００１５】
しかも、発電機を駆動するガスエンジンや燃料電池等の発電本体部分を分割することなく、１つの収納部に収納するものであるから、設置作業の簡略化を図ることができる。
つまり、発電本体部分を分割すると、その組立て作業は煩雑な作業となる虞があり、しかも、組立てた状態において、発電本体部分が適正通り作動することを確認する必要がある等、設置作業が面倒な作業となるが、発電本体部分を分割することなく、１つの収納部に収納するものであるから、設置作業の簡略化を図ることができるのである。
【００１６】
要するに、本発明の熱電併給システムの更なる特徴構成によれば、一人作業による設置作業を一層良好に行うことができ、しかも、設置作業の簡略化を図ることができる。
【００１７】
本発明の熱電併給システムの更なる特徴構成は、前記複数の収納部が、横長状の直方体を形成する形態に並置自在に構成されている点にある。
【００１８】
すなわち、複数の収納部が、横長状の直方体を形成する形態に並置できるものであるから、複数の収納部を低く設置できるため、複数の収納部を安定性良く設置でき、また、複数の収納部を大きく持ち上げる等の煩雑な作業を行うことがないため、設置作業の一層の簡略化を図ることができる。
また、複数の収納部を横長状の直方体を形成する形態に並置する場合には、複数の収納部を奥行方向の幅を小さくした状態で設置できるため、通路状の狭小スペースに設置できるものとなる。
【００１９】
要するに、本発明の熱電併給システムの更なる特徴構成によれば、複数の収納部を安定性良く設置でき、また、設置作業の一層の簡略化を図ることができ、さらには、通路状の狭小スペースに設置できる。
【００２０】
本発明の熱電併給システムの更なる特徴構成は、前記複数の収納部が、少なくとも一部を段積した段積状態で横長状の直方体を形成する形態に並置自在に構成されている点にある。
【００２１】
すなわち、複数の収納部を横長状の直方体を形成する形態で並置するにあたり、複数の収納部のうちの少なくとも一部を段積した段積状態にするものであるから、複数の収納部を横長状の直方体を形成する形態で並置するにしても、全ての収納部を横幅方向に沿って並べるようにするに較べて、その横幅方向の長さを短縮することが可能となる。
【００２２】
要するに、本発明の熱電併給システムの更なる特徴構成によれば、横幅方向の長さの短縮化を図りながら、複数の収納部を横長状の直方体を形成する形態で並置することができる。
【００２３】
本発明の熱電併給システムの更なる特徴構成は、前記複数の収納部が、段積状態で縦長状の直方体を形成する形態に並置自在に構成されている点にある。
【００２４】
すなわち、複数の収納部が、段積状態で縦長状の直方体を形成する形態に並置されるものであるから、複数の収納部の設置面積を少なくすることができるため、例えば、マンションのベランダ等の狭い箇所にも、複数の収納部をコンパクトに設置できる。
【００２５】
要するに、本発明の熱電併給システムの更なる特徴構成によれば、複数の収納部をコンパクトに設置できる。
【００２６】
本発明の熱電併給システムの更なる特徴構成は、前記複数の収納部の夫々が、骨組材を枠組みした直方体状に形成した枠体であり、
前記複数の収納部が直方体を形成する形態に並置された状態において、当該複数の収納部を一連に覆うカバー体が設けられている点にある。
【００２７】
すなわち、複数の収納部の夫々を、骨組材を枠組みして直方体状に形成した枠体とし、そのような枠体として形成された複数の収納部の夫々に、発電部を複数に分割した部分が分散して収納される。
【００２８】
そして、複数の収納部が直方体を形成する形態に並置された状態において、当該複数の収納部が、カバー体にて一連に覆われるものであるから、並置された複数の収納部が、一つの構成体となる状態の外観を呈するものとなるから、外観を一層美麗な状態にすることができる。
【００２９】
しかも、直方体を形成する形態に並置された複数の収納部をカバー体にて一連に覆うことにより、複数の収納部の内部に雨水等を侵入することを抑制して、発電部を良好に作動させることができる。
【００３０】
要するに、本発明の熱電併給システムの更なる特徴構成によれば、外観を一層美麗な状態にすることができ、しかも、発電部を良好に作動させることができる。
【００３１】
本発明の熱電併給システムの更なる特徴構成は、前記貯湯タンクを収納する貯湯タンク収納部が、前記複数の収納部を並置して形成された直方体の横脇に、直方体を形成する形態で並置自在に構成されている点にある。
【００３２】
すなわち、貯湯タンクを収納する貯湯タンク収納部が、前記複数の収納部を並置して形成された直方体の横脇に、直方体を形成する形態で並置されるものであるから、発電部を分散収納する複数の収納部及び貯湯タンク収納部を、直方体を形成する形態で並置できるため、発電部及び貯湯タンクを外観が美麗な状態に設置できる。
【００３３】
ちなみに、貯湯タンクは湯水を排出させた状態においては、それほど大きな重量にならないものであるため、貯湯タンク収納部は、一人作業でも設置可能なものである。
【００３４】
要するに、本発明の熱電併給システムの更なる特徴構成によれば、発電部及び貯湯タンクを外観が美麗な状態に設置できる。
【００３５】
本発明の熱電併給システムの更なる特徴構成は、前記複数の収納部の夫々及び前記貯湯タンク収納部が、骨組材を枠組みした直方体状に形成した枠体であり、
前記複数の収納部及び前記貯湯タンク収納部が直方体を形成する形態に並置された状態において、前記複数の収納部及び前記貯湯タンク収納部を一連に覆うカバー体が設けられている点にある。
【００３６】
すなわち、複数の収納部の夫々及び貯湯タンク収納部を、骨組材を枠組みして直方体状に形成した枠体とし、そのような枠体として形成された複数の収納部の夫々に、発電部を複数に分割した部分が分散して収納され、かつ、貯湯タンク収納部に貯湯タンクが収納される。
【００３７】
そして、複数の収納部及び貯湯タンク収納部が直方体を形成する形態に並置された状態において、当該複数の収納部及び貯湯タンク収納部が、カバー体にて一連に覆われるものであるから、並置された複数の収納部及び貯湯タンク収納部が、一つの構成体となる状態の外観を呈するものとなるから、外観を一層美麗な状態にすることができる。
【００３８】
しかも、直方体を形成する形態に並置された複数の収納部及び貯湯タンク収納部をカバー体にて一連に覆うことにより、複数の収納部や貯湯タンク収納部の内部に雨水等を侵入することを抑制して、発電部を良好に作動させながら貯湯タンクに湯水を回収することができる。
【００３９】
要するに、本発明の熱電併給システムの更なる特徴構成によれば、外観を一層美麗な状態にすることができ、しかも、発電部を良好に作動させながら貯湯タンクに湯水を回収することができる。
【図面の簡単な説明】
【００４０】
【図１】熱電併給システムの構成を示す概略図
【図２】熱電併給システムの横長設置形態を示す斜視図
【図３】流体供給用収納部を示す概略斜視図
【図４】発電モジュール収納部を示す概略斜視図
【図５】熱電併給システムの縦長設置形態を示す斜視図
【発明を実施するための形態】
【００４１】
＜実施形態＞
以下、本発明の第１実施形態を図面に基づいて説明する。
（熱電併給システムの全体構成）
図１に示すように、熱電併給システムは、燃料電池式発電モジュールＭを発電部本体部分として備える発電部Ｄと、当該発電部の排熱を回収した湯水を貯留する貯湯タンクＴとを備えている。
発電部Ｄは、燃料電池式発電モジュールＭに加えて、排熱回収部Ｎ、湯水循環部Ｊ、凝縮水回収部Ｋ、電気制御部Ｐ及び発電用流体供給部Ｑを備える形態に構成されている。
【００４２】
（燃料電池式発電モジュールの詳細）
燃料電池式発電モジュールＭは、原燃料を脱硫処理する脱硫器１と、脱硫器１からの原燃料に混合する水蒸気を生成する蒸発器２と、水蒸気が混合された原燃料を水蒸気改質して燃料ガスを生成する改質器３と、改質器３で生成された燃料ガス（改質ガス）が供給されるマニホールド４と、当該マニホールド４より燃料ガスが供給されて発電する複数の燃料電池セル５を有するセルスタック６と、セルスタック６からのオフガスを燃焼する燃焼部７とを備えている。
蒸発器２、改質器３、マニホールド４、セルスタック６及び燃焼部７は、高温容器８の内部に収容されている。
原燃料ガスは炭化水素を含むガスであり、例えば都市ガスである。
【００４３】
脱硫器１は、原燃料ガスに含まれる硫黄成分（例えば、都市ガスが含有している付臭剤など）を除去することになり、脱硫器１には、原燃料ガスが原燃料供給路Ｌ１を通して供給されている。
原燃料供給路Ｌ１には、原燃料ガスを供給する燃料供給ポンプ１０及び供給される原燃料の流量を計測する燃料流量計１１が配設されている。つまり、原燃料供給路Ｌ１が発電用流体供給部Ｑを経由する形態で配設され、原燃料供給路Ｌ１における発電用流体供給部Ｑに位置する部分に、燃料供給ポンプ１０及び燃料流量計１１が配設されている。
【００４４】
蒸発器２には、水蒸気改質に用いられる改質用水が改質用水供給路Ｌ２を通して供給される。
改質用水供給路Ｌ２を通して蒸発器２に供給される改質用水は、後述する回収タンク１２に貯えられている水である。ちなみに、回収タンク１２は、凝縮水回収部Ｋに配設されている。
【００４５】
蒸発器２には、燃焼部７で発生した燃焼熱が伝達され、その熱によって改質用水の蒸発が行われ、蒸発器２の内部において、生成された水蒸気と原燃料ガスとが混合され、混合ガスが混合ガス供給路Ｌ３を通して改質器３に供給される。
【００４６】
改質器３は、原燃料ガスの水蒸気改質処理を行い、水素を主成分とする燃料ガスを生成する。尚、改質器３にも、燃焼部７で発生した燃焼熱が伝達され、その熱によって改質反応が促進される。
改質器３で生成された燃料ガスが、燃料ガス供給路Ｌ４を通ってマニホールド４に供給され、マニホールド４に供給された燃料ガスが各燃料電池セル５へと分配される。
【００４７】
燃料電池セル５は、燃料極と空気極との間に固体電解質層を備えた固体酸化物形に構成されている。つまり、燃料電池セル５は、改質器３で生成された燃料ガスが通流する燃料通流部（図示せず）と空気（即ち、酸化剤（酸素））が通流する空気通流部（図示せず）とを備え、燃料通流部を燃料ガスが上向きに通流することで燃料極の全体に燃料ガスが供給され、空気通流部を上向きに空気が通流することで空気極の全体に空気が供給され、それら燃料ガス及び空気が発電反応に用いられ、発電するように構成されている。
【００４８】
セルスタック６は、複数の燃料電池セル５を電気的に直列接続した状態で備える形態に構成されている。
そして、燃料電池セル５において発電反応に供された後の排燃料ガスが、燃料通流部の上端の排出口から排出され、燃料電池セル５において発電反応に供された後の排空気が、空気通流部の上端の排出口から排出される。
【００４９】
セルスタック６の上方には、オフガス（即ち、各燃料電池セル５の燃料通流部から排出される排燃料ガスと空気通流部から排出される排空気（即ち、酸素））を燃焼させる燃焼空間が、燃焼部７として形成されている。つまり、セルスタック６が燃焼部７を形成する構成部材として機能する。
そして、蒸発器２及び改質器３が、燃焼部７に隣接して設けられている結果、上述の如く、燃焼部７で発生する燃焼熱によって、蒸発器２及び改質器３が加熱され、また、セルスタック６が加熱される。
【００５０】
高温容器８の内部には、給気部１３を通して空気（酸素）が供給される。つまり、給気部１３に、空気（外気）を供給する空気供給ラインＬ５が接続されている。
高温容器８の内部に供給された空気（酸素）は、燃料電池セル５での発電反応に用いられ、また、燃焼部７での排燃料ガスの燃焼に用いられる。
空気供給ラインＬ５には、送風機としての給気ブロア１４及び供給される空気量を計測する空気流量計１５が設けられ、さらに、空気供給ラインＬ５の入口側端部には、エアフィルタ１６が設けられている。
つまり、空気供給ラインＬ５が発電用流体供給部Ｑを経由する形態で配設され、空気供給ラインＬ５における発電用流体供給部Ｑに位置する部分に、給気ブロア１４、空気流量計１５、及び、エアフィルタ１６が配設されている。
【００５１】
また、高温容器８には、燃焼部７で発生した燃焼排ガスを外部に排出するための排気部１７が形成され、その排気部１７には、燃焼部７で発生した燃焼排ガスが流れる燃焼排ガス路Ｌ６が接続されている。
【００５２】
（電気制御部の詳細）
電気制御部Ｐには、セルスタック６からの直流電力を交流電力に変換するインバータなどの電力変換部１９が、セルスタック６に電気的に接続された状態で設けられている。そして、電力変換部１９にて変換された交流電力が、電力線２０を介して、電力負荷装置や電力系統などに供給される。
【００５３】
また、電気制御部Ｐには、電力変換部１９に向けて冷却風を送風する冷却ファン２１、及び、発電部Ｄの運転を制御する制御部２２が配設されている。
【００５４】
（排熱回収部の詳細）
排熱回収部Ｎには、高温容器８から排出された燃焼排ガスが流れる燃焼排ガス路Ｌ６に接続された排ガス熱交換部２３が設けられている。
また、排ガス熱交換部２３には、貯湯タンクＴに接続された湯水循環路２４におけるタンク底部側に接続された往路２４Ａ及びタンク上部側に接続された復路２４Ｂが接続されている。
【００５５】
つまり、排ガス熱交換部２３には、燃焼排ガスと貯湯タンクＴに貯えられている湯水とが供給されて、両者の熱交換を行うように構成されている。
そして、排ガス熱交換部２３での熱交換により、燃焼排ガスが冷却され、燃焼排ガスに含まれている水蒸気が凝縮して水となり、その凝縮水を、回収水路Ｌ７を通して自重落下により流動させるように構成され、また、熱交換後の燃焼排ガスを、排ガス放出路Ｌ８を通して機外に放出するように構成されている。
【００５６】
（湯水循環部の詳細）
湯水循環部Ｊには、湯水循環路２４を通して貯湯タンクＴに貯えられた湯水を循環させる循環ポンプ２５が、往路２４Ａに配置する状態で設けられている。
【００５７】
また、湯水循環部Ｊには、排ガス熱交換部２３に供給される前の湯水を冷却する湯水冷却ラジエータ２６が設けられており、貯湯タンクＴに貯湯されている湯水の温度が高くなっている状態においても、湯水を冷却することにより、排ガス熱交換部２３での熱交換により、燃焼排ガスを適切に冷却できるように構成されている。
【００５８】
（凝縮水回収部の詳細）
凝縮水回収部Ｋには、回収水路Ｌ７を通して流動する凝縮水を精製する水精製器２７、精製された水を改質水として回収する回収タンク１２、及び、回収タンク１２に回収された改質水を、改質用水供給路Ｌ２を通して蒸発器２に供給する改質水ポンプ２８が設けられている。
【００５９】
また、水道水等を補給用水として回収タンク１２に給水する補給水路Ｌ９が設けられ、当該補給水路Ｌ９には、補給用開閉弁３０及び補給用水を精製する補給水精製器３１が設けられている。
また、回収タンク１２から余剰水を排水升３２に排出するオーバーフロー路３３、及び、排水升３２に回収した余剰水を機外に排出する排水路３４が設けられている。
【００６０】
（貯湯タンクについて）
貯湯タンクＴに貯湯された湯水が、タンク底部側から取出しかつタンク上部側に戻す形態で、湯水循環路２４を通して排ガス熱交換部２３を経由して循環されることになり、その結果、貯湯タンクＴには、上部ほど温度が高く、下部ほど温度が低い湯水が貯えられる状態、即ち、温度成層を形成する状態で湯水が貯えられるように構成されている。
【００６１】
貯湯タンクＴの上部には給湯路３５が接続されており、その給湯路３５を通って貯湯タンクＴに貯えられている湯水が湯水消費部へと供給される。また、貯湯タンクＴの下部には、水道水等を給水する給水路３６が接続されており、湯水消費部に給湯された分の水が貯湯タンクＴへと補充される。
【００６２】
（設置構成について）
図２に示すように、発電部Ｄを収納する複数の収納部Ｕの夫々が、直方体状に形成され、且つ、当該複数の収納部Ｕが直方体を形成する形態に並置自在に構成されている。
そして、発電部Ｄが、複数に分割された状態で複数の収納部Ｕに分散収納されている。
【００６３】
本実施形態においては、図１に示すように、発電部Ｄが、燃料電池式発電モジュールＭとそれ以外の複数の機器類部Ｂとに分割されている。
詳しくは、複数の機器類部Ｂとして、排熱回収部Ｎ、湯水循環部Ｊ、凝縮水回収部Ｋ、電気制御部Ｐ及び発電用流体供給部Ｑに分割されている。
【００６４】
図１及び図２に示すように、複数の収納部Ｕとして、燃料電池式発電モジュールＭを収納する発電モジュール収納部Ｕｍ、排熱回収部Ｎを収納する排熱回収用収納部Ｕｎ、湯水循環部Ｊを収納する湯水循環用収納部Ｕｊ、凝縮水回収部Ｋを収納する凝縮水回収用収納部Ｕｋ、電気制御部Ｐを収納する電気制御用収納部Ｕｐ、及び、発電用流体供給部Ｑを収納する流体供給用収納部Ｕｑが設けられている。
そして、燃料電池式発電モジュールＭ及び複数の機器類部Ｂの夫々が、複数の収納部Ｕに分散した状態で収納されている。
【００６５】
（横長設置形態について）
図２に示すように、複数の収納部Ｕが、横長状の直方体を形成する横長設置形態に並置自在に構成されている。
詳しくは、複数の収納部Ｕが、一部を段積した段積状態で横長状の直方体を形成する形態に並置自在に構成されている。
【００６６】
また、図２に示すように、貯湯タンクＴを収納する貯湯タンク収納部Ａが、複数の収納部Ｕを並置して形成された直方体の横脇に、直方体を形成する形態で並置自在に構成されている。
つまり、貯湯タンク収納部Ａの高さ及び前後幅（奥行幅）が、複数の収納部Ｕを横長設置形態に並置して形成された直方体の高さ及び前後幅（奥行幅）と同じに形成されて、複数の収納部Ｕを並置して形成された直方体の横脇に、直方体を形成する形態で並置されている。
【００６７】
複数の収納部Ｕを横長設置形態に並置する形態について説明を加えると、貯湯タンク収納部Ａが左端に位置され、貯湯タンク収納部Ａの右側箇所に、排熱回収用収納部Ｕｎと凝縮水回収用収納部Ｕｋとが、排熱回収用収納部Ｕｎを上方に位置させる形態に段積した状態で並置されている。
尚、凝縮水回収用収納部Ｕｋには、回収タンク１２を奥側に配置して、その回収タンク１２の前側に、水精製器２７、改質水ポンプ２８及び補給水精製器３１を配置することにより、水精製器２７、改質水ポンプ２８及び補給水精製器３１のメンテナンス作業を前面側から行えるようにしてある。
【００６８】
段積みした排熱回収用収納部Ｕｎと凝縮水回収用収納部Ｕｋとの右側箇所に、発電モジュール収納部Ｕｍが並置されている。
発電モジュール収納部Ｕｍの右側箇所の下方側箇所に、流体供給用収納部Ｕｑと湯水循環用収納部Ｕｊとが、流体供給用収納部Ｕｑを前面側に位置させる状態で、前後方向（奥行方向）に並置され、流体供給用収納部Ｕｑと湯水循環用収納部Ｕｊとの上部に、電気制御用収納部Ｕｐが段積した状態に並置されている。
【００６９】
（収納部の具体構成について）
本実施形態においては、図３及び図４に示すように、複数の収納部Ｕの夫々及び貯湯タンク収納部Ａが、骨組材としてのアングル材Ｚを枠組みして直方体状に形成した枠体として構成されている。
図４は、発電モジュール収納部Ｕｍを例示するものであって、アングル材Ｚが、直方体の１２個の辺に相当する箇所に位置されかつ隣接する端部同士を溶接等により接合されることにより、直方体状の枠体として形成されている。
尚、発電モジュール収納部Ｕｍにおいては、燃料電池式発電モジュールＭを浮上状態に載置支持する発電モジュール載置支持部３７が設けられ、当該発電モジュール載置支持部３７の下方側箇所に、配管類を設置するための配管用設置空間Ｓが形成されている。
【００７０】
図３は、流体供給用収納部Ｕｑを例示するものであって、アングル材Ｚが、直方体の１２個の辺に相当する箇所に位置されかつ隣接する端部同士を溶接等により接合されることにより、直方体状の枠体として形成されている。
尚、流体供給用収納部Ｕｑにおいては、発電用流体供給部Ｑを浮上状態に載置支持する発電用流体供給部用載置支持部３８が設けられ、当該発電用流体供給部用載置支持部３８の下方側箇所に、外気をエアフィルタ１６等に導く空気流動空間Ｒが形成されている。
【００７１】
その他の収納部Ｕや貯湯タンク収納部Ａの詳細な構成は省略するが、その他の収納部Ｕや貯湯タンク収納部Ａについても、アングル材Ｚが、直方体の１２個の辺に相当する箇所に位置されかつ隣接する端部同士を溶接等により接合されることにより、直方体状の枠体として形成されている。
【００７２】
また、並置される複数の収納部Ｕや貯湯タンク収納部Ａは、図示は省略するが、隣接するアングル材Ｚをボルト連結する等により、隣接する収納部Ｕが互いに連結されるように構成されている。
また、図示は省略するが、複数の収納部Ｕに収納されている複数の機器類部Ｂを接続する配管類が、接続ジョイント等を用いて接続されて、原燃料供給路Ｌ１、改質用水供給路Ｌ２、空気供給ラインＬ５、燃焼排ガス路Ｌ６、回収水路Ｌ７等が形成されている。
【００７３】
そして、図２に示すように、本実施形態においては、複数の収納部Ｕ及び貯湯タンク収納部Ａが直方体を形成する形態に並置された状態において、複数の収納部Ｕ及び貯湯タンク収納部Ａを一連に覆うカバー体Ｇが、アングル材Ｚに対してビス等により止着される形態で設けられている。
カバー体Ｇは、前面カバーＧｆ、背面カバーＧｒ、右面カバーＧｍ、左面カバーＧｈ及び上面カバーＧｕを備える形態に構成されている。
【００７４】
ちなみに、複数の収納部Ｕ及び貯湯タンク収納部Ａのうち、底面が設置面に対向するものについては、図示は省略するが、底部カバーが設けられることになる。
すなわち、本実施形態においては、貯湯タンク収納部Ａ、凝縮水回収用収納部Ｕｋ、発電モジュール収納部Ｕｍ、流体供給用収納部Ｕｑ、及び、湯水循環用収納部Ｕｊの夫々には、底部カバーが設けられることになる。
【００７５】
また、前面カバーＧｆにおける流体供給用収納部Ｕｑの空気流動空間Ｒに対向する箇所には、空気吸込用開口（ギャラリー）３９が形成されている。
同様に、右面カバーＧｍにおける湯水循環用収納部Ｕｊに対向する箇所には、湯水冷却ラジエータ２６の冷却風を排出する空気排出開口（ギャラリー）４０が形成されている。
【００７６】
ちなみに、排熱回収部Ｎにおける排ガス放出路Ｌ８が湯水循環用収納部Ｕｊの内部に延出されて、熱交換後の燃焼排ガスが、空気排出開口（ギャラリー）４０を通して外部に排出されるように構成されている。
また、電気制御部Ｐにおける冷却ファン２１の冷却後の排風が、湯水循環用収納部Ｕｊの内部を経由して、空気排出開口（ギャラリー）４０を通して外部に排出されるように構成されている。
【００７７】
また、右面カバーＧｍにおける流体供給用収納部Ｕｑに対向する箇所には、原燃料供給路Ｌ１が右面カバーＧｍから露出する状態で設けられている。
また、凝縮水回収部Ｋにおける補給水路Ｌ９及び排水路３４が、発電モジュール収納部Ｕｍの配管用設置空間Ｓ及び湯水循環用収納部Ｕｊを経由する形態で配置されて、右面カバーＧｍにおける湯水循環用収納部Ｕｊに対向する箇所に、補給水路Ｌ９及び排水路３４が右面カバーＧｍにおけるから露出する状態で設けられている。
【００７８】
（縦長設置形態について）
図５に示すように、複数の収納部Ｕは、上述した横長設置形態に並置する状態と、段積状態で縦長状の直方体を形成する縦長設置形態に並置する状態とに切換え自在に構成されている。つまり、複数の収納部Ｕを横長設置形態に並置する状態と複数の収納部Ｕを縦長設置形態に並置する状態とを選択自在に構成されている。
この縦長設置形態においても、貯湯タンクＴを収納する貯湯タンク収納部Ａが、複数の収納部Ｕを並置して形成された直方体の横脇に、直方体を形成する形態で並置自在に構成されている。
つまり、貯湯タンク収納部Ａの高さ及び前後幅（奥行幅）が、複数の収納部Ｕを縦長設置形態に並置して形成された直方体の高さ及び前後幅（奥行幅）と同じに形成されて、複数の収納部Ｕを並置して形成された直方体の横脇に、直方体を形成する形態で並置されている。
【００７９】
複数の収納部Ｕを縦長設置形態に並置する形態について説明を加えると、貯湯タンク収納部Ａが左側に位置され、貯湯タンク収納部Ａの右側の下方箇所における左側に、凝縮水回収用収納部Ｕｋが位置され、かつ、貯湯タンク収納部Ａの右側の下方箇所における右側に、流体供給用収納部Ｕｑと湯水循環用収納部Ｕｊとが、流体供給用収納部Ｕｑを前面側に位置させる状態で、前後方向（奥行方向）に並置されている。
【００８０】
貯湯タンク収納部Ａの右側の上下中間箇所に、排熱回収用収納部Ｕｎと電気制御用収納部Ｕｐとが、凝縮水回収用収納部Ｕｋ、流体供給用収納部Ｕｑ及び湯水循環用収納部Ｕｊの上部に段積する状態で、排熱回収用収納部Ｕｎを左側に位置させる横並び形態で並置されている。
そして、貯湯タンク収納部Ａの右側の上方箇所に、発電モジュール収納部Ｕｍが、排熱回収用収納部Ｕｎと電気制御用収納部Ｕｐとの上部に段積される状態で並置されている。
【００８１】
尚、この縦長設置形態においても、横長設置形態と同様に、複数の収納部Ｕの夫々及び貯湯タンク収納部Ａが、骨組材としてのアングル材Ｚを枠組みした直方体状に形成した枠体として構成されている。
そして、並置される複数の収納部Ｕ及び貯湯タンク収納部Ａが、隣接するアングル材Ｚをボルト連結する等により、隣接する収納部Ｕ及び貯湯タンク収納部Ａが互いに連結されている。
【００８２】
そして、複数の収納部Ｕ及び貯湯タンク収納部Ａが縦長設置形態で直方体を形成する形態に並置された状態において、横長設置形態と同様に、複数の収納部Ｕ及び貯湯タンク収納部Ａを一連に覆うカバー体Ｇが設けられている。
カバー体Ｇは、複数の収納部Ｕ及び貯湯タンク収納部Ａを横長設置形態に並置する場合とは、形状や大きさが異なるものの、横長設置形態と同様に、前面カバーＧｆ、背面カバーＧｒ、右面カバーＧｍ、左面カバーＧｈ及び上面カバーＧｕを備える形態に構成されている。
【００８３】
ちなみに、横長設置形態と同様に、複数の収納部Ｕ及び貯湯タンク収納部Ａのうち、底面が設置面に対向するものについては、図示は省略するが、底部カバーが設けられることになる。
すなわち、貯湯タンク収納部Ａ、凝縮水回収用収納部Ｕｋ、流体供給用収納部Ｕｑ、及び、湯水循環用収納部Ｕｊの夫々には、底部カバーが設けられることになる。
【００８４】
また、前面カバーＧｆにおける流体供給用収納部Ｕｑの空気流動空間Ｒに対向する箇所には、空気吸込用開口（ギャラリー）３９が形成されている。
同様に、右面カバーＧｍにおける湯水循環用収納部Ｕｊに対向する箇所には、湯水冷却ラジエータ２６の冷却風等の排風を排出する空気排出開口（ギャラリー）４０が形成されている。
【００８５】
＜別実施形態＞
以下、その他の別実施形態を列記する。
（１）上記実施形態では、発電部Ｄを、発電本体部分としての燃料電池式発電モジュールＭとそれ以外の５つの機器類部Ｂとに分割する形態を例示したが、発電部Ｄを分割する形態は各種変更できる。
例えば、燃料電池式発電モジュールＭと発電部Ｄを構成するその他の機器の一部とを同じ分割部分とし、発電部Ｄを構成するその他の機器の残部を複数に分割する形態としてもよく、また、発電部Ｄを燃料電池式発電モジュールＭとその他の機器とに分割する場合において、その他の機器を分割する分割数を、２〜４のいずれか及び６つ以上に分割させるようにしてもよい。
【００８６】
（２）上記実施形態では、貯湯タンク収納部Ａを、直方体を形成する形態に並置した複数の収納部Ｕを横脇に並置して、貯湯タンク収納部Ａと複数の収納部Ｕとを直方体を形成する形態に並置する場合を例示したが、貯湯タンク収納部Ａを、直方体を形成する形態に並置した複数の収納部Ｕとは、離間させた状態で設けるようにしてもよい。
この場合においては、複数の収納部Ｕが直方体を形成する形態に並置された状態において、カバー体Ｇが、直方体を形成する形態に並置された複数の収納部Ｕのみを一連に覆う状態で設けられることになる。
【００８７】
（３）上記実施形態では、直方体を形成する形態に並置した複数の収納部Ｕ及び貯湯タンク収納部Ａを、カバー体Ｇにて一連に覆う形態を例示したが、複数の収納部Ｕ及び貯湯タンク収納部Ａの夫々を各別に覆う分割カバー体を設ける形態で実施してもよい。
【００８８】
（４）上記実施形態では、発電部Ｄが、燃料電池式発電モジュールＭを発電本体部分として備えるものを例示したが、発電本体部分として発電機を駆動するガスエンジンを備える場合においても、本発明は同様に実施できる。
【００８９】
尚、上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００９０】
Ａ      貯湯タンク収納部
Ｂ      機器類部
Ｄ      発電部
Ｇ      カバー体
Ｍ      発電本体部分
Ｔ      貯湯タンク
Ｕ      収納部
Ｚ      骨組材
【図１】
2020107557.tif 000003
【図２】
2020107557.tif 000004
【図３】
2020107557.tif 000005
【図４】
2020107557.tif 000006
【図５】
2020107557.tif 000007